(57)【要約】      （修正有）【課題】スイッチの置き場所や設置場所を定めておくことが望まれるといった配慮をする必要性をなくし、電路中にスイッチが介在されているホルダーにもそのまま装着して使用することのできるＬＥＤランプを提供する。【解決手段】ＬＥＤランプ１０は、第１回路基板３０を内蔵する外郭２０の光出口２１を覆っているカバーレンズ２５が開口部２６を有する。ＬＥＤ素子３１の点灯と消灯とを切り替えるスイッチ５０を外郭２０の内部に配備し、スイッチ５０の操作部５１が、カバーレンズ２５の開口部２６を通して外部に露出されている。【選択図】図２
0003234169.tif 000002
【実用新案登録請求の範囲】
【請求項１】
ユニット化された照明器具を装着することによりその照明器具に電力を供給する機能を有するホルダーに着脱可能な上記照明器具として使用されるＬＥＤランプであって、
ＬＥＤ素子を搭載した回路基板を内蔵する外郭の光出口が、上記回路基板に間隔を隔てて対面するカバーレンズによって覆われ、上記ＬＥＤ素子の点灯と消灯とを切り替えるためのスイッチが上記外郭の内部に配備されていると共に、このスイッチが、上記カバーレンズに具備された開口部を通して外部に露出された操作部を備えていることを特徴とするＬＥＤランプ。
【請求項２】
カバーレンズの中央部に設けられた上記開口部を通して上記操作部が外部に露出されている請求項１に記載したＬＥＤランプ。
【請求項３】
スイッチに備わっている接続端子が上記回路基板の半田付けランドに直付けされることによって、上記外郭の内部に配備されている当該スイッチが回路基板に固定されている請求項１又は請求項２に記載したＬＥＤランプ。
【請求項４】
スイッチが設置高さ調整用のスペーサーを介して回路基板に実装されていると共に、スイッチに備わっている接続端子が上記回路基板の半田付けランドにリード線を介して電気的に接続されている請求項１又は請求項２に記載したＬＥＤランプ。
【請求項５】
スイッチがカバーレンズに取り付けられていると共に、スイッチに備わっている接続端子が上記回路基板の半田付けランドにリード線を介して電気的に接続されている請求項１又は請求項２に記載したＬＥＤランプ。
【考案の詳細な説明】
【技術分野】
【０００１】
本考案は、ユニット化された照明器具を装着することによりその照明器具に電力を供給する機能を有するホルダーに対して着脱可能な上記照明器具として使用されるＬＥＤランプに関する。
【背景技術】
【０００２】
従来より、本棚、ベッドの宮や足元、下駄箱、仏壇などに設置して必要に応じて局所を照明することに使用される照明器具のうち、バッテリーなどの電力源を有していないユニット化された照明器具は、上掲の本棚などに設置された電力供給源としてのホルダーに装着して使用されることが多い。
【０００３】
図８にはこの種の従来のユニット化された照明器具３００が装着されているホルダー１００を概略斜視図で示し、図９にはホルダー１００に使用されているスイッチ２００の一例を概略斜視図で示してある。
【０００４】
図８に示したホルダー１００は、その引出しコード１０１に接続した電源コードのプラグ（不図示）をコンセントに差し込むことによって宅内電源に接続される。そして、ホルダー１００に適正に装着された照明器具３００には、ホルダー１００を介して必要な電力が供給される。また、図９に例示したスイッチ２００が上記引出しコード１０１（図８）に接続されている電源コード１０２の途中箇所に介在されていて、ホルダー１００（図８）に装着されている照明器具３００に対する電力の供給及び遮断が、このスイッチ２００をオンオフ操作することによって制御され、このようなスイッチ２００の操作を通じて照明器具３００の点灯及び消灯が切り替えられる。なお、ユニット化された照明器具３００の点灯及び消灯を切り替えるためのスイッチ２００には、図９に示したような電源コード１０２の途中箇所に介在されてそのまま使用されるスイッチ（コードスイッチ）２００のほか、ホルダー１００を介して照明器具３００に電力を供給するための電路に介在されて上記した本棚の側板などの定位置に埋め込まれた埋め込みスイッチなど、種々の型式のスイッチがある。したがって、従来のユニット化された照明器具３００にあっては、電源コード１０２などの電路中にスイッチが介在されているホルダー１００を使用することが不可欠であった。
【０００５】
上記した従来のユニット化された照明器具３００は従来より公知であり、先行例にも同様の照明器具についての記述がある（特許文献１参照）。
【先行技術文献】
【特許文献】
【０００６】
【特許文献１】実登３２０５４８４号公報
【考案の概要】
【考案が解決しようとする課題】
【０００７】
しかしながら、従来のユニット化された照明器具３００は、電源コード１０２などの電路中にスイッチが介在されているホルダー１００を使用することが不可欠であったために、ホルダー１００に装着された照明器具３００を点灯したり消灯したりするときに、局所照明のための照明器具３００から離れた手の届きにくい場所にあるスイッチ（コードスイッチ）２００や埋め込みスイッチを操作しなければならないことがあるという面倒があっただけでなく、スイッチの操作性の低下を防ぐためには、照明器具３００によって照明させることのできる狭い範囲内にスイッチの置き場所や設置場所を定めて置くことが望まれるといった配慮も必要であった。
【０００８】
本考案は、以上の状況に鑑みてなされたものであり、ユニット化された照明器具自体にスイッチを組み込むことによって、手の届きにくい場所にあるスイッチを操作しなければならないといった面倒がなくなり、しかも、照明器具によって照明させることのできる狭い範囲内にスイッチの置き場所や設置場所を定めておくことが望まれるといった配慮をする必要性もなくなって、ユニット化された照明器具の点灯や消灯を使用者が直感的に迅速に切り替えることのできるＬＥＤランプを提供することを目的としている。
【０００９】
また、本考案は、ユニット化された照明器具自体に組み込まれているスイッチを操作するときに光源の熱で手の指に熱さを感じたりすることがなくなるだけでなく、電路中にスイッチが介在されているホルダーにもそのまま装着して使用することのできるＬＥＤランプを提供することを目的としている。
【課題を解決するための手段】
【００１０】
本考案に係るＬＥＤランプは、ユニット化された照明器具を装着することによりその照明器具に電力を供給する機能を有するホルダーに着脱可能な上記照明器具として使用される。このため、電路中にスイッチが介在されているホルダーに装着しても、そのスイッチを常時オンにしておくことによって、そのようなホルダーをそのまま使用することが可能である。電路中にスイッチが介在されていないホルダーであっても、電源コードによって電力を供給できるようになっているホルダーや、バッテリーを内蔵しているホルダーであっても使用することが勿論可能である。
【００１１】
また、本考案に係るＬＥＤランプは、ＬＥＤ素子を搭載した回路基板を内蔵する外郭の光出口が、上記回路基板に間隔を隔てて対面するカバーレンズによって覆われ、上記ＬＥＤ素子の点灯と消灯とを切り替えるためのスイッチが上記外郭の内部に配備されていると共に、このスイッチが、上記カバーレンズに具備された開口部を通して外部に露出された操作部を備えている。
【００１２】
このように構成されているＬＥＤランプによれば、発熱をほとんど伴わないＬＥＤ素子を光源としているために、カバーレンズやスイッチの操作部が熱くならない。したがって、スイッチを操作するときに光源の熱で手の指に熱さを感じたりすることがなくなる。その上、ＬＥＤランプ自体に組み込まれているスイッチを直感的に操作してＬＥＤランプを点灯したり消灯したりすることが可能になるだけでなく、手の届きにくい場所にあるスイッチを操作しなければならないといった面倒や、ＬＥＤランプによって照明させることのできる狭い範囲内にスイッチの置き場所や設置場所を定めておかなければならないといった配慮をする必要性もなくなる。
【００１３】
本考案では、カバーレンズの中央部に設けられた上記開口部を通して上記操作部が外部に露出されている、という構成を採用することが可能であり、これによれば、操作部の直感的な操作性が向上する。
【００１４】
本考案では、スイッチに備わっている接続端子が上記回路基板の半田付けランドに直付けされることによって、上記外郭の内部に配備されている当該スイッチが回路基板に固定されている、という構成を採用することが可能である。これによれば、スイッチを固定する手段が簡素化され、スイッチを固定するための部品を余分に必要としないという利点がある。
【００１５】
本考案では、スイッチが設置高さ調整用のスペーサーを介して回路基板に実装されていると共に、スイッチに備わっている接続端子が上記回路基板の半田付けランドにリード線を介して電気的に接続されている、という構成を採用することも可能である。この構成を採用することにより、操作部を含むスイッチ自体の高さサイズなどを考慮せずに、適切な高さのスペーサーを使用するだけで、回路基板に間隔を隔てて対面するカバーレンズに具備された開口部を通して操作部を外部に露出させることが可能になる。言い換えると、回路基板とカバーレンズとの間隔が異なるＬＥＤランプの相互間においても、適切な高さのスペーサを用いることによって、高さサイズが同一のスイッチを共用することが可能になる。
【００１６】
本考案では、スイッチがカバーレンズに取り付けられていると共に、スイッチに備わっている接続端子が上記回路基板の半田付けランドにリード線を介して電気的に接続されている、という構成を採用することも可能である。これによれば、回路基板とカバーレンズとの間隔が異なるＬＥＤランプの相互間においても、スペーサーを用いることなく、高さサイズが同一のスイッチを共用することが可能になる。
【考案の効果】
【００１７】
以上のように、本考案に係るＬＥＤランプは、カバーレンズの開口部から露出しているスイッチの操作部を操作することにより点灯及び消灯を切り替えるようになっているので、点灯及び消灯を直感的な操作で迅速に切り替えることができるだけでなく、照明器具によって照明させることのできる狭い範囲内にスイッチの置き場所や設置場所を定めておくことが望まれるといった配慮をする必要性もなくなる。また、本棚の側板などに設置されたホルダーに装着することによってホルダーから電力が供給されるようになっているので、この種のホルダーを共用して、図８を参照して冒頭で説明したユニット化された照明器具と交換して使用することができるようになるという利点もある。そのほか、スイッチを操作するときに光源の熱で手の指に熱さを感じたりすることがないという効果も奏される。
【図面の簡単な説明】
【００１８】
【図１】本考案の実施形態に係るＬＥＤランプが装着されているホルダーの概略斜視図ある。
【図２】ＬＥＤランプの概略縦断側面図である。
【図３】ＬＥＤ素子とスイッチとを搭載した回路基板の概略平面図である。
【図４】第１回路基板にスイッチを固定している構造の要部を拡大した概略縦断側面図である。
【図５】第１回路基板にスイッチを固定している他の構造の要部を拡大した概略縦断側面図である。
【図６】第１回路基板にスイッチを固定しているさらに他の構造の要部を拡大した概略縦断側面図である。
【図７】シーソー型のスイッチの概略斜視図である。
【図８】従来のユニット化された照明器具が装着されているホルダーの概略斜視図である。
【図９】図８のホルダーに使用されているスイッチの一例を示した概略斜視図である。
【考案を実施するための形態】
【００１９】
図１は本考案の実施形態に係るＬＥＤランプ１０が装着されているホルダー１００の概略斜視図ある。また、図２はＬＥＤランプ１０の概略縦断側面図、図３はＬＥＤ素子３１とスイッチ５０とを搭載した第１回路基板３０の概略平面図、図４は要部の概略縦断側面図である。
【００２０】
図２に示した実施形態に係るＬＥＤランプ１０では、筒状の外郭２０が、所要数のＬＥＤ素子３１を搭載した第１回路基板３０と電流電圧制御回路（不図示）を実装した第２回路基板４０とを２層状に内蔵していると共に、外郭２０の光出口２１が、第１回路基板３０に間隔を隔てて対面しているカバーレンズ２５によって覆われている。外郭２０には、その底板部２２から電極２３が突出されている。また、外郭２０には、第１回路基板３０に実装されたプッシュスイッチでなるスイッチ５０が内蔵されていて、このスイッチ５０の押しボタン型の操作部５１が、カバーレンズ２５の中央部に設けられた開口部２６を通して外部に露出されていると共に、開口部２６には、操作部５１の押下げ操作を容易にするためのテーパー状の凹入部２７が形成されている。このＬＥＤランプ１０において、スイッチ５０は、第２回路基板４０に電気的に接続されている第１回路基板３０の電路中に介在されていて、操作部５１の押下げ動作を繰り返すことによって、この電路に電気的に接続されている上記ＬＥＤ素子３１に対する電力の供給と遮断とを切り替える機能を有している。
【００２１】
図２を参照して説明したＬＥＤランプ１０は、外郭２０を図１に示したホルダー１００の円形の凹入部１１０の適正な位置に嵌め込んで一定角度だけ回転させることによってホルダー１００に適正に装着され、かつ、電極２３がホルダー１００側の電極（不図示）に電気的に接続される。また、ホルダー１００側の電極は、ホルダー１００の引出しコード１０１に接続した電源コードのプラグ（不図示）をコンセントに差し込むことによって宅内電源に接続される。したがって、スイッチ２００の操作部５１の押下げ動作を繰り返すと、ＬＥＤ３１が点灯したり消灯したりしてＬＥＤランプ１０の点灯及び消灯が切り替えられる。
【００２２】
以上説明したＬＥＤランプ１０によれば、ＬＥＤランプ１０自体に組み込まれているスイッチ５０を操作性よく直感的に操作してＬＥＤランプ１０を点灯したり消灯したりすることが可能になるだけでなく、ＬＥＤランプ１０から離れた手の届きにくい場所にあるスイッチを操作しなければならないといった面倒や、ＬＥＤランプ１０によって照明させることのできる狭い範囲内にスイッチの置き場所や設置場所を定めておかなければならないといった配慮をする必要性もない。また、発熱をほとんど伴わないＬＥＤ素子３１を光源としているために、長時間に亘って点灯させた後でも、カバーレンズ２５やスイッチ５０の操作部５１が熱くならない。そのため、スイッチ５０を操作するときに手がカバーレンズ２５や操作部５１に触れても手の指に熱さを感じたりすることがない。
【００２３】
図１に示したホルダー１００は、本棚の側板などに埋め込んで設置することが可能である。また、ホルダー１００としては、図８及び図９を参照して説明した電源コードなどの電路中にスイッチが介在されているホルダーであってもよい。図８及び図９を参照して説明したような電路中にスイッチが介在されているホルダー１００を使用する場合には、電路中のスイッチ２００を常時オン（給電モード）にしておくことによってそのまま使用することが可能である。したがって、実施形態に係るＬＥＤランプ１０は、図８を参照して説明した照明器具３００と交換して使用することができる。また、電路中にスイッチが介在されていないホルダーであっても、バッテリーを内蔵しているホルダーであっても使用することが可能である。
【００２４】
図４は第１回路基板３０にスイッチ５０を固定している構造の要部を拡大した概略縦断側面図である。この事例では、スイッチ５０が第１回路基板３０に載置されていると共に、スイッチ５０のボディ５２から下向きに引き出されている接続端子５３が第１回路基板３０の差込み孔に挿通されて第１回路基板３０の裏面の半田ランド３２に半田付けされて電気的に接続されている。この固定構造を採用すると、スイッチ５０を固定する手段が簡素化され、スイッチ５０を固定するための部品を余分に必要としないという利点がある。
【００２５】
図５は第１回路基板３０にスイッチ５０を固定している他の構造の要部を拡大した概略縦断側面図である。この事例では、スイッチ５０が、第１回路基板３０に固定されている設置高さ調整用のスペーサー６０を介して第１回路基板３０に実装されていて、スイッチ５０のボディ５２から下向きに引き出されている下向きの接続端子５３がリード線５４を介して第１回路基板３０の裏面の半田ランド３２に半田付けされて電気的に接続されている。この固定構造を採用すると、第１回路基板３０とカバーレンズ２５との相互間隔が、スイッチ５０の高さサイズに比べて広くなっているような場合でも、適切な高さのスペーサー６０を使用するだけで、第１回路基板３０に間隔を隔てて対面するカバーレンズ２５に具備された開口部２６を通して操作部５１を外部に露出させることが可能になる。したがって、第１回路基板３０とカバーレンズ２５との間隔が異なるＬＥＤランプ１０の相互間においても、適切な高さのスペーサー６０を用いることによって、高さサイズが同一の既成のスイッチ５０を共用することが可能である。
【００２６】
図６は第１回路基板３０にスイッチ５０を固定しているさらに他の構造の要部を拡大した概略縦断側面図である。この事例では、カバーレンズ２５に下向きに突出した所要数の係合爪２８が設けられていて、これらの係合爪２８とカバーレンズ２５とによりスイッチ５０のボディ５２が挟持された状態でスイッチ５０がカバーレンズに取り付けられている。そして、スイッチ５０のボディ５２から下向きに引き出されている下向きの接続端子５３がリード線５４を介して第１回路基板３０の裏面の半田ランド３２に半田付けされて電気的に接続されている。これによれば、第１回路基板３０とカバーレンズ２５との相互間隔が、スイッチ５０の高さサイズに比べて広くなっているような場合でも、図５に示したスペーサー６０のような余分な部品を用いることなく、一般に市販されているような高さサイズが同一の既成のスイッチ５０を共用することが可能になるという利便性がある。
【００２７】
上記から明らかなように、図５及び図６を参照して説明した事例では、図４に示したスイッチ５０と同一サイズ及び同一仕様のスイッチ５０を共用することが可能であるために、第１回路基板３０とカバーレンズ２５との相互間隔が異なるＬＥＤランプ１０に対してサイズや仕様の異なる専用のスイッチ５０を用いる必要がなくなり、それだけ、コストダウンを図りやすくなるという利点がある。
【００２８】
図７は所謂シーソー型のスイッチ５０の概略斜視図である。上記した実施形態では、プッシュスイッチでなるスイッチ５０を採用した事例を説明したけれども、スイッチ５０にはプッシュスイッチ以外の種類の手動操作型の各種のスイッチを使用することが可能であり、たとえば、同図に例示したシーソー型のスイッチ５０を使用することも可能である。
【００２９】
実施形態では、回路基板が第１回路基板３０と第２回路基板４０とに分かれているけれども、この点は、第１回路基板３０や第２回路基板４０を１枚の回路基板によって形成することも可能である。
【００３０】
なお、図１〜図９において、同一又は相応する要素には同一符号を付している。
【符号の説明】
【００３１】
１０  ＬＥＤランプ
２０  外郭
２１  光出口
２５  カバーレンズ
２６  開口部
３０  第１回路基板（回路基板）
３１  ＬＥＤ素子
３２  半田付けランド
５０  スイッチ
５１  操作部
５３  接続端子
５４  リード線
６０  スペーサー
１００  ホルダー
【図１】
0003234169.tif 000003
【図２】
0003234169.tif 000004
【図３】
0003234169.tif 000005
【図４】
0003234169.tif 000006
【図５】
0003234169.tif 000007
【図６】
0003234169.tif 000008
【図７】
0003234169.tif 000009
【図８】
0003234169.tif 000010
【図９】
0003234169.tif 000011